(57)【特許請求の範囲】
【請求項１】
化粧料及び塗布具の少なくとも１つを収納せしめる区画凹所を有するケース本体と、このケース本体に開閉可能に合わさり該区画凹所を閉塞する蓋体とを備えた化粧料容器であって、
前記蓋体に、その内側面で時計周りもしくは反時計周りに回動可能に保持されるミラーを設け、
該ミラーは、ミラー本体と、蓋体の内側面に固定保持される円形状の第１の薄肉シート又はフィルムと、この第１の薄肉シート又はフィルムに回動可能で、かつ抜け出し不能に嵌り込む開口部を有し該ミラー本体を接着層を介して固定保持する第２の薄肉シート又はフィルムからなり、
第１の薄肉シート又はフィルムの外側縁部に、蓋体の内側面に向けて先細りになる第１のテーパー部を設け、
前記第２の薄肉シート又はフィルムの開口部の内側縁部に、蓋体の内側面に向けて先細りになり該第１のテーパー部に合致してミラー本体が回動する際の摺動面を形成するとともにその抜け出しを阻止する係止爪を形成する第２のテーパー部を設けたことを特徴とする化粧料容器。
【発明の詳細な説明】
【技術分野】
【０００１】
本発明は、化粧料容器（コンパクト）に関するものであり、該容器の多種多様な使い方を実現しようとするものである。
【背景技術】
【０００２】
コンパクトの如き化粧料容器は、一般にアイシャドーやアイライナー、ファンデーション等の内容物を塗布具（パフ等）とともに収納できる内部空間を有しており、蓋体の内側面には化粧状況が把握できるようにミラーが組み付けられている。
【０００３】
通常、この種の容器に組み付けられているミラーは、蓋体の形状に合わせ、円形、矩形等様々な形状に加工されてはいるものの、何れのミラーも接着剤等を介して蓋体の内側面に固定されているのが普通でミラーに映し出される領域は常に限定されたものになっており（特許文献１参照）、例えば、縦長のミラーが備えられた容器において横長の状態で化粧状況を映し出したい場合等には容器そのもの向きを変更する動作が必要であって、使用状況に応じて多種多様な使い方ができないのが現状であった。
【特許文献１】登録実用新案第２５３８８３１号明細書
【発明の開示】
【発明が解決しようとする課題】
【０００４】
本発明の課題は、蓋体の内側面に備え付けられたミラーを回動できるようにし、余計な動作を要することなしに多種多様な使い方のできる使い勝手のよい化粧料容器を提案するところにある。
【課題を解決するための手段】
【０００５】
本発明は、上記従来の課題を解決するためになされたものであって、化粧料及び塗布具の少なくとも１つを収納せしめる区画凹所を有するケース本体と、このケース本体に開閉可能に合わさり該区画凹所を閉塞する蓋体とを備えた化粧料容器につき、前記蓋体に、その内側面で時計周りもしくは反時計周りに回動可能に保持されるミラーを設け、
該ミラーを、ミラー本体と、蓋体の内側面に固定保持される円形状の第１の薄肉シート又はフィルムと、この第１の薄肉シート又はフィルムに回動可能で、かつ抜け出し不能に嵌り込む開口部を有し該ミラー本体を接着層を介して固定保持する第２の薄肉シート又はフィルムにて構成し、
第１の薄肉シート又はフィルムの外側縁部に、蓋体の内側面に向けて先細りになる第１のテーパー部を設け、
前記第２の薄肉シート又はフィルムの開口部の内側縁部に、蓋体の内側面に向けて先細りになり該第１のテーパー部に合致してミラー本体が回動する際の摺動面を形成するとともにその抜け出しを阻止する係止爪を形成する第２のテーパー部を設けたところに特徴を有する。
【発明の効果】
【０００６】
蓋体の内側面に設けられたミラーを該内側面内で時計周りあるいは反時計周りに回動させることで、容器そのものを持ち替える等の動作を要することなしに映し出される領域を変更することが可能となり（とくに縦横の長さが異なるミラーの場合は縦方向あるいは横方向に向きを変えることが可能、また一部分に凹面鏡が組み込まれている場合においてはその部位を見やすい位置に設定できる等）、該容器の使い方の幅がより一層広がる。
【０００７】
ミラーの回動機構を構成する部材として第１及び第２の薄肉シート又はフィルムを用いることにより化粧料容器の厚さに何ら影響を与えることがない。
【発明を実施するための最良の形態】
【０００８】
以下、図面を参照して本発明をより具体的に説明する。
図１〜４は本発明にしたがう化粧料容器の実施の形態を示した図であり、図１は蓋体を閉じた状態で示した外観斜視図、図２は図１の容器について蓋体を開放した状態の外観斜視図、図３は図１に示した容器の断面図、さらに図４は図１の容器の各パーツを分解状態で示した外観斜視図である。
【０００９】
図１〜４における符号１はケース本体である。このケース本体１は化粧料、パフ等の塗布具を収納せしめる複数の区画凹所Ｍ１、Ｍ２が設けられている（図２参照）。
【００１０】
２はケース本体１に枢軸Ｓを介して開閉可能に合わさり該区画凹所Ｍ１、Ｍ２を閉塞する蓋体である。この蓋体２の内側面の中央部には先端部が平坦になる円形の凸部２ａが形成され、側壁には凹部２ｂが形成されている（図３、４参照）。
【００１１】
３は蓋体２の凹部２ｂを通り抜けその内側面内で時計周りあるいは反時計周りに回動可能に保持されたミラーである。このミラー３はミラー本体（鏡そのもの）３ａと、このミラー本体３aを保持するフレーム３ｂと、蓋体２の凸部２aに接着層Ｔ１を介して固定保持される円形状の第１の薄肉シート（又はフィルム）３ｃと、ミラー本体３ａを接着層Ｔ２を介して固定保持する一方で接着層Ｔ３を介してフレーム３ｂに固定保持される第２の薄肉シート（又はフィルム）３ｄからなり、該第２の薄肉シート３ｄには第１の薄肉シート３ｃに回動可能で、かつ抜け出し不能にはまり込む開口部３ｄ１が形成されている。ここに、上記接着層Ｔ１、Ｔ２及びＴ３は各薄肉シート３ｃ、３ｄの変形を抑制するために好ましくは回動部側の端縁直近まで設けるようにする。
【００１２】
また、４は第１の薄肉シート３ｃの外側縁部に設けられた第１のテーパー部である。この第１のテーパー部４は図３に示す如く、蓋体２の内側面に向けて先細りになる台形状の断面形状を有している。５は第２の薄肉シート３ｄの開口部３ｄ１の内側縁部に設けられた第２のテーパー部であり、この第２のテーパー部５は第１のテーパー部４と同様に蓋体２の内側面に向けて先細りとなる台形状の断面形状をなしていて、第１のテーパー部４に合致してミラー３が回動する際の摺動面を形成するともに該第２の薄肉シート３ｄの抜け出しを阻止する係止爪を形成するようになっている。
【００１３】
上記の構成になる化粧料容器は、蓋体２を開放した状態においてミラー３を図５に示すように回動させて使用することが可能であり、容器そのものを持ち替える動作を必要とせずに映し出す領域の変更が可能となる。
【００１４】
本発明ではミラー本体３ａをフレーム３ｂにて保持する場合を例として示したが、ミラー本体３ａのエッジ部にアール加工を施す等の手法によりフレーム３ｂの設置を省略することも可能であり、この場合、パーツ数を削減することができ、化粧料容器の厚さをより薄くできる利点がある。
【００１５】
上掲図１〜４に示した化粧料容器は、フレーム３ｂの幅端部が蓋体２及びケース本体１の幅端部から突出したタイプのものを示したが、フレーム３ｂの幅寸法は蓋体２、ケース本体１の幅寸法と同じ寸法に設定してもよく、この点については限定されない。とくに実施の形態において示した化粧料容器はその外観形状がこの種の一般的な容器（縦長コンパクト）の外観形状に比較して特異な形状を呈することになるので商品としての識別力が高くなる。また、容器は円形のものや楕円形のもの、あるいは正方形状のものにも適用し得る。
【００１６】
なお、図示はしないが蓋体２及びフレーム３ｂあるいはミラー本体３ａとの相互間に相互に当接する一対の凸部あるいは凹部凸部を設け、ミラー３の回動に際して凸部同士を当接させるか凹部に凸部を入れ込むことによりミラー３の位置決めを行うこともできる。
【００１７】
第１のテーパー部４、第２のテーパー部５については可能ならば階段状に断面形状を変化させてもよく、その形状は必要に応じて適宜変更し得る。
【産業上の利用可能性】
【００１８】
ミラーの回動が可能であり多種多様な使い方ができる使い勝手のよい化粧料容器が提供できる。
【図面の簡単な説明】
【００１９】
【図１】本発明にしたがう化粧料容器の実施の形態を示した外観斜視図である。
【図２】図１の容器について蓋体を開放した外観斜視図である。
【図３】図１の容器についてその断面を示した図である。
【図４】図１の容器の各パーツを分解状態で示した図である。
【図５】本発明にしたがう化粧料容器の使用状況を示した図である。
【符号の説明】
【００２０】
１    ケース本体
２    蓋体
２ａ  凸部
２ｂ  凹部
３    ミラー
３ａ  ミラー本体
３ｂ  フレーム
３ｃ  第１の薄肉シート
３ｄ  第２の薄肉シート
３ｄ１ 開口部
４    第１のテーパー部
５    第２のテーパー部
６    接着層
７    背着層
Ｍ１、Ｍ２  区画凹所
Ｔ１  接着層
Ｓ    枢軸
【図１】
0005090231.tif 000002
【図２】
0005090231.tif 000003
【図３】
0005090231.tif 000004
【図４】
0005090231.tif 000005
【図５】
0005090231.tif 000006